(57)【要約】【課題】本発明は、壁に形成された凹部空間の開口部に収納空間を形成するための枠体を確実且つ精度よく組み付けることができる枠体の組付工法と組付構造を提供することを目的とする。【解決手段】壁に形成された凹部空間２０の開口部に収納空間３０を形成するための枠体を組み付ける枠体の組付工法であって、前記開口部の一方の開口縁下端部の木軸１２に一方側の巾木用スペーサ５を固定し、間口幅設定用のガイド材１０を用いて前記開口部の他方の開口縁下端部の木軸１３に他方側の巾木用スペーサ６を固定する第１工程と、上枠と左右の側枠を固定して三方枠１２３を組み立てる第２工程と、三方枠の左右側枠下端を前記両巾木用スペーサ上にそれぞれ載置して上枠と左右側枠の水平と垂直を確保して固定する第３工程と、間口床面の前記ガイド部材を取り外した後、中間扉取付用のセンターポール８を前記上枠と間口床面との間に立設固定する第４工程と、からなる。【選択図】図６
2006316407.tif 000002
【特許請求の範囲】
【請求項１】
壁に形成された凹部空間の開口部に収納空間を形成するための枠体を組み付ける枠体の組付工法であって、床面の水平面を測定すると共に開口部側縁に設置されている木軸の垂直性を測定した後、前記開口部の一方の開口縁下端部の木軸に一方側の巾木用スペーサを固定し、該巾木用スペーサに間口幅設定用のガイド材の一端を当接して間口幅を設定すると共に該ガイド材の他端に他方側の巾木用スペーサを当接して位置決めし、該他方側の巾木用スペーサを前記開口部の他方の開口縁下端部の木軸にパッキン材を介して固定する第１工程と、上枠と左右の側枠を固定して三方枠を組み立てる第２工程と、三方枠の左右側枠下端を前記両巾木用スペーサ上にそれぞれ載置した状態で上枠及び左右側枠と前記木軸の間の隙間にパッキン材を挿入することにより上枠と左右側枠の水平と垂直を確保して固定する第３工程と、間口床面の前記ガイド部材を取り外した後、所定の間口位置において前記上枠と間口の床面との間にアジャスターを有する突っ張り棒形式の中間扉取付用のセンターポールを立設固定する第４工程と、を含むことを特徴とする枠体の組付工法。
【請求項２】
壁に形成された凹部空間の開口部に収納空間を形成するための枠体の組付構造であって、上枠及び左右の側枠を固定して形成される三方枠と、床面の水平面を測定すると共に開口部側縁に設置されている木軸の垂直を測定した状態で、前記開口部の一方の開口縁下端部の木軸に固定される一方側の巾木用スペーサと、該巾木用スペーサに一端を当接した間口設定用のガイド材の他端に当接することにより位置決めされ、前記開口部の他方の開口縁下端部の木軸にパッキン材を介して固定される他方側の巾木用スペーサと、前記三方枠の左右側枠下端を前記両巾木用スペーサ上にそれぞれ載置した状態で上枠及び左右側枠と前記木軸の間の隙間に挿入することにより上枠と左右側枠の水平と垂直を確保して固定するパッキン材と、間口床面の前記ガイド部材を取り外した状態で前記上枠と間口床面との間に立設される、アジャスターを有する突っ張り棒形式の中間扉取付用のセンターポールと、を備えていることを特徴とする枠体の組付構造。
【請求項３】
センターポールは略角柱状をなすと共にその上端部には上端固定用の上部カバーが設けられ、下端部にはアジャスター隠蔽用の下部カバーが設けられていることを特徴とする請求項２に記載の枠体の組付構造。
【発明の詳細な説明】
【技術分野】
【０００１】
本発明は、壁に形成された凹部空間の開口部に収納空間を形成するための枠体を組み付ける工法とその枠体の組付構造に係り、特に扉付き収納空間を形成する場合に有利な枠体の組付工法と組付構造に関するものである。
【背景技術】
【０００２】
近時の居住空間においては、壁に形成された凹部空間に扉付き収納空間を形成する形式が多く採用されるようになっており、このような形式においては前記凹部空間の開口部に枠体を組み付ける必要がある。
【０００３】
前記のような枠体の組付けは、一般に木工事区分として大工職人によって行われ、その枠体に扉付きの収納空間、例えば、クローゼット等のシステム収納庫を組み付ける工事区分は家具工事区分として家具等の販売業者社員等によって行われる。
【０００４】
前記扉付き収納空間としての前記クローゼット等の規格化されたシステム収納庫においては一般に台輪を有するから、収納部の底面を床面と面一にすることはできず、段差の形成が余儀なくされる。また、収納庫の扉についてみると、前記クローゼット等において多く採用されている衝立形式のものでは床面へのガイドレールの敷設が不可欠であることから、床面に段差が生じる。
【０００５】
そこで、床面と段差のない収納空間を形成する場合には特別に設計されたパーツ部材を組み付けて収納室が形成されるように設計する必要があり、このような場合には特に前記枠体の組付けが重要な課題となり、前記木工事区分で組み付けられた枠体の垂直性や水平性、寸法精度等の出来具合がその後の家具工事区分における収納庫の配置設置作業の難易性を左右する。
【０００６】
一方、扉の形式においては、観音開き形式のものであれば前記のような床面へのガイドレールの敷設等は不要であるが、間口が広い場合には中間扉が不可欠であり、その場合には該中間扉の取り付け手段が必要となる。
【０００７】
ところが、前記のように木工事区分は大工職人によって行われることと、その後の枠体の用途等を認識した上で枠体の組付け工事をしていないこと等もあって、枠体の組付工事はそれほど精度の高いものとなっていないのが実情であり、そのような精度が確保されていない枠体に収納室形成用の各種部材を組み付ける作業は多大の時間と労力を要することとなる。
【０００８】
従来、建物の窓等の開口部の設置構造として、上下の横架材間に左右の縦枠材を移動可能に設け、該左右の縦枠材間に矩形状の開口部構成材を上下方向に移動可能に設けることが提案されており（特許文献１）、また、前記のように、壁に形成された凹部空間にシステム収納枠体を組み込む際に、枠体の縁と壁ボード開口縁辺を結合するのに使用されるボード受けフレームを改良したものも提案されている（特許文献２）。
【特許文献１】特開２０００−１７７５８公報
【特許文献２】実用新案登録第３１０５６９２号実用新案公報
【発明の開示】
【発明が解決しようとする課題】
【０００９】
しかしながら、特許文献１に記載のものは、窓用の開口部を形成するためのものであって、上下の横架材間に左右の縦枠材を移動可能に設け、該左右の縦枠材間に矩形状の開口部構成材を上下方向に移動可能に設けるものであるから、壁に形成された凹部空間に扉付きの収納空間を形成する際の枠体の組付け手段として採用することはできない。
【００１０】
また、特許文献２に記載のものは、システム収納枠体の縁と壁ボード開口縁辺を結合するボード受けフレームに関するものであり、壁紙の接着性を良くしようとするものであって、壁に形成された凹部空間の開口部に収納空間を形成するための枠体を組み付ける際の前記したような難点を基本的に解消するものではない。
【００１１】
本発明は、前記のような従来の欠点を解消し、壁に形成された凹部空間の開口部に収納空間を形成するための枠体を確実且つ精度よく組み付けることができる枠体の組付工法と組付構造を提供することを目的とする。
【課題を解決するための手段】
【００１２】
本発明は、前記課題を解決するために、枠体の組付工法においては、壁に形成された凹部空間の開口部に収納空間を形成するための枠体を組み付ける枠体の組付工法であって、床面の水平面を測定すると共に開口部側縁に設置されている木軸の垂直性を測定した後、前記開口部の一方の開口縁下端部の木軸に一方側の巾木用スペーサを固定し、該巾木用スペーサに間口幅設定用のガイド材の一端を当接して間口幅を設定すると共に該ガイド材の他端に他方側の巾木用スペーサを当接して位置決めし、該他方側の巾木用スペーサを前記開口部の他方の開口縁下端部の木軸にパッキン材を介して固定する第１工程と、上枠と左右の側枠を固定して三方枠を組み立てる第２工程と、三方枠の左右側枠下端を前記両巾木用スペーサ上にそれぞれ載置した状態で上枠及び左右側枠と前記木軸の間の隙間にパッキン材を挿入することにより上枠と左右側枠の水平と垂直を確保して固定する第３工程と、間口床面の前記ガイド部材を取り外した後、所定の間口位置において前記上枠と間口の床面との間にアジャスターを有する突っ張り棒形式の中間扉取付用のセンターポールを立設固定する第４工程と、を含むことを特徴とする。
【００１３】
枠体の組付構造においては、壁に形成された凹部空間の開口部に収納空間を形成するための枠体の組付構造であって、上枠及び左右の側枠を固定して形成される三方枠と、床面の水平面を測定すると共に開口部側縁に設置されている木軸の垂直を測定した状態で、前記開口部の一方の開口縁下端部の木軸に固定される一方側の巾木用スペーサと、該巾木用スペーサに一端を当接した間口設定用のガイド材の他端に当接することにより位置決めされ、前記開口部の他方の開口縁下端部の木軸にパッキン材を介して固定される他方側の巾木用スペーサと、前記三方枠の左右側枠下端を前記両巾木用スペーサ上にそれぞれ載置した状態で上枠及び左右側枠と前記木軸の間の隙間に挿入することにより上枠と左右側枠の水平と垂直を確保して固定するパッキン材と、間口床面の前記ガイド部材を取り外した状態で前記上枠と間口床面との間に立設される、アジャスターを有する突っ張り棒形式の中間扉取付用のセンターポールと、を備えていることを特徴とする。
【００１４】
この場合、前記センターポールは、略角柱状をなすと共にその上端部には上端固定用の上部カバーが設けられ、下端部にはアジャスター隠蔽用の下部カバーが設けられているものとすることができる。
【発明の効果】
【００１５】
本発明の枠体の組付工法によれば、壁に形成された凹部空間の開口部に収納空間を形成するための枠体を組み付けるに際し、巾木用スペーサ設置工程である第１工程では、床面の水平面を測定すると共に開口部側縁に設置されている木軸の垂直性を測定した後、前記開口部の一方の開口縁下端部の木軸に一方側の巾木用スペーサを固定し、該巾木用スペーサに一端を当接するようにして間口幅設定用のガイド材を間口床面に置くと共に該ガイド材の他端に当接するようにして前記開口部の他方の開口縁下端部の木軸にパッキン材を介して他方側の巾木用スペーサを固定するから、一方側の巾木用スペーサと他方側のスペーサとの間隔は間口幅設定用のガイド材によって正確に設定でき、これを基準としてその後の部材の組込を確実に行うことができる。
【００１６】
三方枠組み立て工程である第２工程では、上枠と左右の側枠を固定して三方枠を組み立てて、三方枠設置工程である第３工程では、この三方枠の左右側枠下端を前記両巾木用スペーサ上にそれぞれ載置した状態で上枠及び左右側枠と前記木軸の間の隙間にパッキン材を挿入することにより上枠と左右側枠の水平と垂直を確保して固定するから、仮に木軸の水平性や垂直性に難があってもその誤差はパッキン材によって補正することができる。
【００１７】
センターポール立設工程である第４工程では、間口床面の前記ガイド部材を取り外した後、前記上枠と間口床面との間にアジャスターを有する突っ張り棒形式の中間扉取付用のセンターポールを立設固定するから、中間扉を任意の位置で取り付けることができる。
【００１８】
本発明の枠体の組付構造によれば、上枠及び左右の側枠を固定して形成される三方枠と、一方側の巾木用スペーサと、他方側の巾木用スペーサと、上枠及び左右側枠と前記木軸の間の隙間に挿入されるパッキン材と、センターポールと、からなるものであるから、これらの部材をユニット化し、このユニットを用いて前記枠体の組付工法を採用することにより、壁に形成された凹部空間の開口部に収納空間を形成するための枠体を正確な寸法精度で組み付けることができ、大工職人であってもこれらの工事を簡単且つ正確に行うことができる。
【発明を実施するための最良の形態】
【００１９】
三方枠を組み立てるための上枠及び左右の側枠と、一方側の巾木用スペーサと、他方側の巾木用スペーサと、上枠及び左右側枠と前記木軸の間の隙間に挿入されるパッキン材と、センターポールと、を部材として作成し、間口幅設定用のガイド材を用意する。
【００２０】
これらを用いて、床面の水平面を測定すると共に開口部側縁に設置されている木軸の垂直性を測定した後、前記開口部の一方の開口縁下端部の木軸に一方側の巾木用スペーサを固定し、該巾木用スペーサに前記間口幅設定用のガイド材の一端を当接するようにして該ガイド材を間口床面に置くと共に該ガイド材の他端に当接した他方側の巾木用スペーサをパッキン材を介して前記開口部の他方の開口縁下端部の木軸に固定する（第１工程）。
【００２１】
次ぎに、上枠と左右の側枠を固定して三方枠を組み立て（第２工程）、該三方枠の左右側枠下端を前記両巾木用スペーサ上にそれぞれ載置し、この状態で上枠及び左右側枠と前記木軸の間の隙間にパッキン材を挿入することにより上枠と左右側枠の水平と垂直を確保して固定する（第３工程）。次いで、前記間口床面の前記ガイド部材を取り外した後、前記上枠と間口床面との間に、アジャスターを有する突っ張り棒形式の中間扉取付用のセンターポールを立設固定する（第４工程）。
【実施例】
【００２２】
図１は枠体の組付工法に使用される各部材とガイド材（治具）の斜視図であり、図２〜図７は枠体の組付け手順を示し、図２は巾木用スペーサ設置過程（第１工程）を示す斜視図、図３は三方枠の組立て過程（第２工程）を示す斜視図、図４は三方枠設置過程を示す斜視図、図５は三方枠の固定過程（第３工程）を示す斜視図、図６はセンターポール立設過程（第４工程）を示す斜視図、図７は設置された巾木用スペーサに巾木エンドやプレート等を取り付ける状態を示す正面図である。図８は組み付けられた枠体に対して扉付き収納空間を形成する際に使用される扉その他の部材の斜視図であり、図９は扉の取付過程を示す斜視図、図１０は完成図である。
【００２３】
図１において、１は三方枠を組み立てるための上枠、２，３は同じく左右の側枠、４はパッキン材であって、多数用意される。５は一方側（左側）の巾木用スペーサであって、これと対称的な形状をなす他方側（右側）の巾木用スペーサ６（図２）も用意される。７は前記巾木用スペーサ５，６に取り付けられる巾木エンドであって、これら巾木用スペーサ５，６及び巾木エンド７は樹脂成形品である。８は収納室の間口の中間部に立設される中間扉取付用のセンターポールであって、アルミ押し出し成形される本体部８ａの下端部にアジャスター９が設けられていて突っ張り棒形式のものであり、上端部及び下端部には固定部を隠蔽するためのカバー８ｂ、８ｃを備えている。１０は間口幅設定用のガイド材（治具）である。
【００２４】
次ぎに、図２〜図７に基づいて枠体の組付け順について説明すると、壁に形成された凹部空間２０（図２）の開口側縁には上辺の横木軸１１及び左右側辺の縦木軸１２，１３が組み付けられており、これらの工事は木工事区分として一般に大工職人によって行われる。
【００２５】
一般に、前記縦木軸１２，１３間の間隔は規定の間口幅よりも僅かに広く設定されているが、前記横木軸１１の水平性や縦木軸１２，１３の垂直性は精度が低い場合が多いから、床面の水平面を測定すると共に縦木軸１２，１３の垂直を出し、図２に示すように、一方の縦木軸１２の下端部に一方（押え側）の巾木用スペーサ５を固定する。この巾木用スペーサ５に一端を当接するようにして前記ガイド材１０を間口床面に載置し、該ガイド材１０の他端に前記他方（逃げ側）の巾木用スペーサ６を当接して幅方向の位置決めをし、縦木軸１３と巾木用スペーサ６との隙間にパッキン材４を挿入して調整し、該巾木用スペーサ６を縦木軸１３の下端部にネジ釘等により固定する（第１工程）。
【００２６】
次ぎに、図３に示すように、上枠１と左右の側枠２，３を固定して三方枠を組み立て（第２工程）、図４に示すように、この三方枠１２３の左右側枠２，３の下端を前記巾木用スペーサ５，６の上にそれぞれ載置し、この状態で、図５に示すように、上枠１及び側枠２，３と各木軸１１，１２，１３との間の隙間に前記パッキン材４を挿入することにより上枠１の水平性と左右側枠２，３の垂直性を確保してそれぞれ各木軸に固定する（第３工程）。
【００２７】
前記のようにして三方枠１２３を各木軸１１，１２，１３に固定した後、前記ガイド材１０を床面から取り外し（図５）、中間扉Ｃ１４の取付位置に前記センターポール８を立設する。例えば、中間扉Ｃ１４の取付位置が間口の中心に位置するときは、前記上枠１のセンターと床面の間口センターとを位置出しし、上端を上枠１のセンターに当接すると共に下端部のアジャスター９を間口センターに当接して該アジャスター９を操作することにより突っ張り棒形式で固定し、上部カバー８ｂを上枠１にビス止めする。また、アジャスター９は先端を床面に当接した後、下部カバー８ｃを降ろして隠蔽する（図６，図７）。図６に示すようにしてセンターポール８を立設した後、図７に示すように、前記巾木スペーサ５，６に幅木エンド７を取り付けて枠体の組付け工事が完了する。この枠体の組付け工事完了後に、天井、左右側壁及び奥壁に壁面パネル（図示しない）が貼設される。なお、前記センターポール８は棚受け支柱として使用される場合があり、この場合にはセンターポール８の本体部側面に棚受け材（図示しない）を取り付ける。
【００２８】
図８は、枠体に取り付けられる観音開き形式の扉１４、該扉１４を取り付けるための蝶番等の取付金具１５，１６及び戸当たり１７のそれぞれ斜視図であり、図９に示すように、これらを取り付けて扉付きの収納空間３０が形成され、壁クロスの貼設及びフローリングの敷設等をすることにより図１０に示すように完成する。この収納空間３０はその底面ｆが床面Ｆと面一であって、段差を有しない。
【産業上の利用可能性】
【００２９】
本発明の実施例では、現場で扉付き収納空間を組み立てる例について説明したが、クローゼット等のシステム収納庫の備え付けに適用することができるのは当然である。
【図面の簡単な説明】
【００３０】
【図１】枠体の組付工法に使用される各部材とガイド材（治具）の斜視図である。
【図２】巾木用スペーサ設置過程（第１工程）を示す斜視図である。
【図３】三方枠の組立て過程（第２工程）を示す斜視図である。
【図４】三方枠設置過程を示す斜視図である。
【図５】三方枠の固定過程（第３工程）を示す斜視図である。
【図６】センターポール立設過程（第４工程）を示す斜視図である。
【図７】設置された巾木用スペーサに巾木エンドやプレート等を取り付ける状態を示す正面図である。
【図８】組み付けられた枠体に対して扉付き収納空間を形成する際に使用される扉その他の部材の斜視図である。
【図９】扉の取付過程を示す斜視図である。
【図１０】完成図である。
【符号の説明】
【００３１】
１      上枠
２      側枠（左側）
３      側枠（右側）
４      パッキン材
５      一方側の巾木用スペーサ
６      他方側の巾木用スペーサ
７      巾木エンド
８      センターポール
９      アジャスター
１０    ガイド材
１１    横軸木
１２    縦木軸（左側）
１３    縦木軸（右側）
１４    扉
２０    凹部空間
３０    収納空間
【図１】
2006316407.tif 000003
【図２】
2006316407.tif 000004
【図３】
2006316407.tif 000005
【図４】
2006316407.tif 000006
【図５】
2006316407.tif 000007
【図６】
2006316407.tif 000008
【図７】
2006316407.tif 000009
【図８】
2006316407.tif 000010
【図９】
2006316407.tif 000011
【図１０】
2006316407.tif 000012